(57)【特許請求の範囲】
【請求項１】
複数のコンテンツの中から所望のコンテンツを指定するために用いられるコンテンツ内容を示す情報を１画面に同時に表示する表示方法であって、
前記１画面の重ならない領域に同時に表示可能に、複数のテーマを指定するテーマ指定枠と、前記テーマ指定枠で指定されたテーマに対応するプログラムを指定するプログラム指定枠と、指定したプログラムの映像を表示する画面領域とを規定して同時に表示し、
前記複数のコンテンツにそれぞれ対応しており、当該対応するコンテンツを示す情報を指定するために用いられる複数の指定用表示パターンのうち一部の指定用表示パターンを前記テーマ指定枠に表示し、
指示に応じて、前記テーマ指定枠に表示された前記複数の指定用表示パターンのうち前記指示前に前記表示されていなかった前記指定用表示パターンを前記テーマ指定枠に表示し、
前記テーマ指定枠に予め決められた所定数以下の前記指定用表示パターンを同時に表示し、指示に応じて前記テーマ指定枠に表示される前記指定用表示パターンをスクロール表示可能である、
表示方法。
【請求項２】
シンボル、文字、画像および映像の少なくとも一つを用いて前記対応するコンテンツの内容を示した前記指定用表示パターンを前記テーマ指定枠に表示する、
請求項１に記載の表示方法。
【請求項３】
前記テーマ指定枠に表示されている前記指定用表示パターンが指定されると、当該指定された指定用表示パターンに対応したコンテンツの内容を示す情報の一覧を前記プログラム指定枠に表示する、
請求項１に記載の表示方法。
【請求項４】
前記プログラム指定枠に前記コンテンツの内容を示す情報の一覧をシンボル、文字、画像および映像の少なくとも一つを用いて表示する、
請求項３に記載の表示方法。
【請求項５】
少なくとも２つのグループのコンテンツの内容を示す情報が割り当てられており、前記少なくとも２つのグループのうち任意のグループを指定するために用いられ、前記少なくとも２つのグループにそれぞれ対応した少なくとも第１および第２のグループ指定用表示パターンと、前記指定されたグループに属する前記単数または複数のコンテンツのうち任意のコンテンツの内容を示す情報を指定するために用いられ、前記指定されたグループに属する前記単数または複数のコンテンツの内容を示す情報それぞれに対応した少なくとも第１および第２のコンテンツ指定用表示パターンとを１画面に同時に表示する表示方法であって、
前記１画面の重ならない領域に同時に表示可能に、前記少なくとも２つのグループに対応して、複数の第１層のテーマを指定する第１層テーマ指定枠と、当該第１のテーマ指定枠の１つに対して単数または複数の第２層のテーマを指定する第２層テーマ指定枠と、前記第２層テーマ指定で指定されたテーマに対応するプログラムを指定するプログラム指定枠と、指定したプログラムの映像を表示する画面領域とを規定して、同時に表示し、
指示に応じて前記少なくとも２つのグループ指定用表示パターンのうち前記指示前に前記表示されていなかった前記グループ指定用表示パターンを前記第１層テーマ指定枠に表示し、
前記指示に応じて前記複数のコンテンツ指定用表示パターンのうち前記指示前に前記表示されていなかった前記コンテンツ指定用表示パターンを前記第１層テーマ指定枠に表示し、指示に応じて、前記第１層または第２層テーマ指定枠内に表示する前記グループ指定用表示パターンが属する層を、対応する前記テーマ指定枠においてスクロール表示可能である、
表示方法。
【請求項６】
上位の第１層から下位の第２層に向けて順にグループ指定用表示パターンが指定されると、前記第１層で指定されたグループに属する前記単数または複数のコンテンツの内容を示す情報に対応した前記コンテンツ指定用表示パターンを前記第２層のテーマ指定枠に表示する、
請求項５に記載の表示方法。
【請求項７】
前記各層に属するグループの前記グループ指定用表示パターンを、対応する前記第１層または前記第２層テーマ指定枠内に表示する、
請求項６に記載の表示方法。
【請求項８】
予め決められた所定数以下の前記グループ指定用表示パターンおよび前記コンテンツ指定用表示パターンを、前記第１層および第２層テーマ指定枠、および、前記プログラム指定枠に同時に表示する、
請求項５に記載の表示方法。
【請求項９】
指示に応じて、前記第１層または第２層テーマ指定枠内のグループ指定用表示パターンおよび前記プログラム指定枠内の前記コンテンツ指定用表示パターンの少なくとも一方を、前記対応する枠内においてスクロール表示する、
請求項５に記載の表示方法。
【請求項１０】
前記第１層テーマ指定枠または前記第２層テーマ指定枠に、シンボル、文字、画像および映像の少なくとも一つを用いて前記対応するグループの内容を示した前記グループ指定用表示パターン、あるいは、前記プログラム指定枠に、シンボル、文字、画像および映像の少なくとも一つを用いて前記対応するコンテンツの内容を示した前記コンテンツ指定用表示パターンを表示する、
請求項５に記載の表示方法。
【請求項１１】
前記プログラム指定枠において前記コンテンツ指定用表示パターンが指定されると、当該指定されたコンテンツ指定用表示パターンに対応したコンテンツに含まれる、画像の表示およびオーディオの出力の少なくとも一方を行う、
請求項５に記載の表示方法。
【請求項１２】
１画面の重ならない領域に同時に表示可能に、少なくとも２つのグループに対応して、複数の第１層のテーマを指定する第１層テーマ指定枠と、当該第１のテーマ指定枠の１つに対して単数または複数の第２層のテーマを指定する第２層テーマ指定枠と、前記第２層テーマ指定で指定されたテーマに対応するプログラムを指定するプログラム指定枠と、指定したプログラムの映像を表示する画面領域とを規定し、
前記少なくとも２つのグループのそれぞれに単数または複数のコンテンツの内容を示す情報が割り当てられており、前記少なくとも２つのグループのうち任意のグループを指定するために用いられ、前記少なくとも２つのグループにそれぞれ対応した少なくとも第１および第２のグループ指定用表示パターンのいずれかを前記第１層テーマ指定枠および前記第２層テーマ指定枠のいずれかに表示し、
ユーザによる一定方向の操作に応じて、前記第１層テーマ指定枠および前記第２層テーマ指定枠に表示された、前記少なくとも２つのグループ指定用表示パターンから１つのグループを指定し、
前記指定されたグループに属する前記単数または複数のコンテンツのうち任意のコンテンツを指定するために用いられ、前記指定されたグループに属する前記単数または複数のコンテンツのそれぞれに対応した複数のコンテンツ指定用表示パターンを前記プログラム指定枠に表示し、
指示に応じて、前記第１層テーマ指定枠または前記第２層テーマ指定枠に表示された前記複数のグループ指定用表示パターンのうち前記指示前に前記表示されていなかった前記グループ指定用表示パターンを対応する前記第１層テーマ指定枠または前記第２層テーマ指定枠に画面に表示し、
前記指示に応じて、前記複数のコンテンツ指定用表示パターンのうち前記指示前に前記表示されていなかった前記コンテンツ指定用表示パターンを前記プログラム指定枠に表示する、
表示制御方法。
【請求項１３】
前記一定方向に直交する方向の操作に応じて、前記プログラム指定枠に表示された前記複数のコンテンツ指定用表示パターンをスクロール表示させる、
請求項１２に記載の表示制御方法。
【請求項１４】
１画面の重ならない領域に同時に表示可能に、少なくとも２つのグループに対応して、複数の第１層のテーマを指定する第１層テーマ指定枠と、当該第１のテーマ指定枠の１つに対して単数または複数の第２層のテーマを指定する第２層テーマ指定枠と、前記第２層テーマ指定で指定されたテーマに対応するプログラムを指定するプログラム指定枠と、指定したプログラムの映像を表示する画面領域とを規定し、
前記少なくとも２つのグループのそれぞれに単数または複数のコンテンツの内容を示す情報が割り当てられており、前記少なくとも２つのグループのうち任意のグループを指定するために用いられ、前記少なくとも２つのグループにそれぞれ対応した少なくとも第１および第２のグループ指定用表示パターンを前記第１層テーマ指定枠および前記第２層テーマ指定枠に表示する、第１の表示手段と、
ユーザによる一定方向の操作に応じて、前記第１層テーマ指定枠および前記第２層テーマ指定枠に表示された、前記複数のグループ指定用表示パターンから１つのグループを指定する指定手段と、
前記指定されたグループに属する前記単数または複数のコンテンツのうち任意のコンテンツを指定するために用いられ、前記指定されたグループに属する前記単数または複数のコンテンツのそれぞれに対応した複数のコンテンツ指定用表示パターンを前記プログラム指定枠に表示する、第２表示手段と
を有する、
表示制御装置。
【請求項１５】
１画面の重ならない領域に同時に表示可能に、少なくとも２つのグループに対応して、複数の第１層のテーマを指定する第１層テーマ指定枠と、当該第１のテーマ指定枠の１つに対して単数または複数の第２層のテーマを指定する第２層テーマ指定枠と、前記第２層テーマ指定で指定されたテーマに対応するプログラムを指定するプログラム指定枠と、指定したプログラムの映像を表示する画面領域とを規定し、
前記少なくとも２つのグループのそれぞれに単数または複数のコンテンツの内容を示す情報が割り当てられており、前記少なくとも２つのグループのうち任意のグループを指定するために用いられ、前記少なくとも２つのグループにそれぞれ対応した少なくとも第１および第２のグループ指定用表示パターンを前記第１層テーマ指定枠および前記第２層テーマ指定枠に一定方向に表示し、
ユーザによる一定方向の操作に応じて、前記第１層テーマ指定枠および前記第２層テーマ指定枠に表示された、前記複数のグループ指定用表示パターンから１つのグループを指定し、
前記指定されたグループに属する前記単数または複数のコンテンツのうち任意のコンテンツを指定するために用いられ、前記指定されたグループに属する前記単数または複数のコンテンツのそれぞれに対応した複数のコンテンツ指定用表示パターンを前記プログラム指定枠に前記一定方向に直交する方向に表示し、
前記一定方向に直交する方向の操作に応じて、前記プログラム指定枠の前記複数のコンテンツ指定用表示パターンをスクロール表示可能である、
表示制御方法。
【請求項１６】
指示に応じて、前記第１層テーマ指定枠および前記第２層テーマ指定枠に表示された、前記複数のグループ指定用表示パターンのうち前記指示前に前記表示されていなかった前記グループ指定用表示パターンを対応する前記第１層テーマ指定枠または前記第２層テーマ指定枠に前記画面に表示し、
前記指示に応じて、前記複数のコンテンツ指定用表示パターンのうち前記指示前に前記表示されていなかった前記コンテンツ指定用表示パターンを前記プログラム指定枠に表示する、
請求項１５に記載の表示制御方法。
【発明の詳細な説明】
【０００１】
【発明の属する技術分野】
本発明は、本発明は、複数の番組（プログラム）から視聴者が希望する番組内容（コンテンツ）を示す番組を選択し、選択した番組の内容の再生を行うため、表示スクリーンに表示された番組を指定するために用いられる表示方法、表示方法、信号生成装置および表示制御装置に関する。
【０００２】
【従来の技術】
近年、放送衛星、通信衛星などの衛星を用いてテレビジョン放送信号をデジタル化して伝送し、各家庭の受信装置で、これを受信するシステムがある。
このシステムでは、多数のチャンネルを確保でき、多数の番組（プログラム）を放送できる。
そのため、所望の番組を選択するための電子番組ガイド（ＥＰＧ:ElectronicProgram Guide)情報を番組と共に伝送し、受信装置で、ＥＰＧの内容をモニタ表示し、表示された電子番組ガイドを見ながら、ユーザが所望の番組を迅速に選択することを可能にしている。
【０００３】
例えば、特開平１１−１５０６９１号には、複数の放送番組の中から視聴者が望む番組内容（コンテンツ（映像および／または音声））を示す番組を効果的に選択するため、番組内容（コンテンツ）を示す番組を複数の階層に分類して階層化しておき、複数の階層を用いて分類された複数のプログラムを、画面上で、上位の階層の番組から順に下位の階層の番組を指定する受信装置が開示されている。
この受信装置では、先ず、第１階層に属する複数のテーマのそれぞれに対応した指定用表示パターンが全て表示される。そして、ユーザ（視聴者）からの指示に応じて、任意の一の指定用表示パターンが指定されると、当該指定用表示パターンに対応した第１階層のテーマに属する複数の第２階層のテーマのそれぞれに対応した指定用表示パターンの全てが表示される。ユーザは、第１階層の場合と同様に、第２階層の任意の一の指定用表示パターンを指定し、順次、下層のテーマを指定しながら、最終的に、最下層のテーマに属する複数のプログラムの中から自分が試聴を希望する番組内容コンテンツを示す一のプログラム（コンテンツ）を指定する。
【０００４】
【発明が解決しようとする課題】
しかしながら、上述した特開平１１−１５０６９１号に開示された受信装置による視聴者が希望する番組内容（コンテンツ）を示すプログラムの指定方法では、各階層のテーマ、並びに最下層のプログラムに対応した全ての指定用表示パターンが表示されることから、各階層のテーマ数、並びに最下層のプログラム数が多くなるに従って、指定用表示パターンの大きさを小さくする必要があり、今後、チャンネル数がさらに増加した場合に、指定用表示パターンが非常に小さな大きさで表示しなければならず、画面が見にくくなると共に、ユーザによる指定操作が困難になるという問題がある。
【０００５】
本発明は上述した従来技術の問題点に鑑みてなされ、番組を指定するための指定用表示パターンの数が増えた場合でも、ユーザ（視聴者）が希望する番組内容（コンテンツ）を示す番組を容易に検索して指定できる表示方法、信号生成装置、表示制御方法および表示制御装置を提供することを目的とする。
【０００６】
【課題を解決するための手段】
本発明によれば、複数のコンテンツの中から所望のコンテンツを指定するために用いられるコンテンツ内容を示す情報を１画面に同時に表示する表示方法であって、
前記１画面の重ならない領域に同時に表示可能に、複数のテーマを指定するテーマ指定枠と、前記テーマ指定枠で指定されたテーマに対応するプログラムを指定するプログラム指定枠と、指定したプログラムの映像を表示する画面領域とを規定して同時に表示し、
前記複数のコンテンツにそれぞれ対応しており、当該対応するコンテンツを示す情報を指定するために用いられる複数の指定用表示パターンのうち一部の指定用表示パターンを前記テーマ指定枠に表示し、
指示に応じて、前記テーマ指定枠に表示された前記複数の指定用表示パターンのうち前記指示前に前記表示されていなかった前記指定用表示パターンを前記テーマ指定枠に表示し、
前記テーマ指定枠に予め決められた所定数以下の前記指定用表示パターンを同時に表示し、
指示に応じて前記テーマ指定枠に表示される前記指定用表示パターンをスクロール表示可能である、表示方法が提供される。
【０００７】
好ましくは、シンボル、文字、画像および映像の少なくとも一つを用いて前記対応するコンテンツの内容を示した前記指定用表示パターンを前記テーマ指定枠に表示する。
また好ましくは、前記テーマ指定枠に表示されている前記指定用表示パターンが指定されると、当該指定された指定用表示パターンに対応したコンテンツの内容を示す情報の一覧を前記プログラム指定枠に表示する。
また好ましくは、前記プログラム指定枠に前記コンテンツの内容を示す情報の一覧をシンボル、文字、画像および映像の少なくとも一つを用いて表示する。
【０００８】
また本発明によれば、少なくとも２つのグループのコンテンツの内容を示す情報が割り当てられており、前記少なくとも２つのグループのうち任意のグループを指定するために用いられ、前記少なくとも２つのグループにそれぞれ対応した少なくとも第１および第２のグループ指定用表示パターンと、前記指定されたグループに属する前記単数または複数のコンテンツのうち任意のコンテンツの内容を示す情報を指定するために用いられ、前記指定されたグループに属する前記単数または複数のコンテンツの内容を示す情報それぞれに対応した少なくとも第１および第２のコンテンツ指定用表示パターンとを１画面に同時に表示する表示方法であって、
前記１画面の重ならない領域に同時に表示可能に、前記少なくとも２つのグループに対応して、複数の第１層のテーマを指定する第１層テーマ指定枠と、当該第１のテーマ指定枠の１つに対して単数または複数の第２層のテーマを指定する第２層テーマ指定枠と、前記第２層テーマ指定で指定されたテーマに対応するプログラムを指定するプログラム指定枠と、指定したプログラムの映像を表示する画面領域とを規定して、同時に表示し、
指示に応じて前記少なくとも２つのグループ指定用表示パターンのうち前記指示前に前記表示されていなかった前記グループ指定用表示パターンを前記第１層テーマ指定枠に表示し、
前記指示に応じて前記複数のコンテンツ指定用表示パターンのうち前記指示前に前記表示されていなかった前記コンテンツ指定用表示パターンを前記第１層テーマ指定枠に表示し、
指示に応じて、前記第１層または第２層テーマ指定枠内に表示する前記グループ指定用表示パターンが属する層を、対応する前記テーマ指定枠においてスクロール表示可能である、表示方法が提供される。
【０００９】
好ましくは、上位の第１層から下位の第２層に向けて順にグループ指定用表示パターンが指定されると、前記第１層で指定されたグループに属する前記単数または複数のコンテンツの内容を示す情報に対応した前記コンテンツ指定用表示パターンを前記第２層のテーマ指定枠に表示する。
また好ましくは、前記各層に属するグループの前記グループ指定用表示パターンを、対応する前記第１層または前記第２層テーマ指定枠内に表示する。
好ましくは、指示に応じて、前記第１層または第２層テーマ指定枠内に表示する前記グループ指定用表示パターンが属する層を、対応するテーマ指定枠においてスクロール表示する。
好ましくは、予め決められた所定数以下の前記グループ指定用表示パターンおよび前記コンテンツ指定用表示パターンを、前記第１層および第２層テーマ指定枠、および、前記プログラム指定枠に同時に表示する。
また好ましくは、前記指示に応じて、前記第１層または第２層テーマ指定枠内のグループ指定用表示パターンおよび前記プログラム指定枠内の前記コンテンツ指定用表示パターンの少なくとも一方を、前記対応する枠内においてスクロール表示する。
【００１０】
好ましくは、前記第１層テーマ指定枠または前記第２層テーマ指定枠に、シンボル、文字、画像および映像の少なくとも一つを用いて前記対応するグループの内容を示した前記グループ指定用表示パターン、あるいは、前記プログラム指定枠に、シンボル、文字、画像および映像の少なくとも一つを用いて前記対応するコンテンツの内容を示した前記コンテンツ指定用表示パターンを表示する。
また好ましくは、前記プログラム指定枠において前記コンテンツ指定用表示パターンが指定されると、当該指定されたコンテンツ指定用表示パターンに対応したコンテンツに含まれる、画像の表示およびオーディオの出力の少なくとも一方を行う。
【００１３】
本発明によれば、１画面の重ならない領域に同時に表示可能に、少なくとも２つのグループに対応して、複数の第１層のテーマを指定する第１層テーマ指定枠と、当該第１のテーマ指定枠の１つに対して単数または複数の第２層のテーマを指定する第２層テーマ指定枠と、前記第２層テーマ指定で指定されたテーマに対応するプログラムを指定するプログラム指定枠と、指定したプログラムの映像を表示する画面領域とを規定し、
前記少なくとも２つのグループのそれぞれに単数または複数のコンテンツの内容を示す情報が割り当てられており、前記少なくとも２つのグループのうち任意のグループを指定するために用いられ、前記少なくとも２つのグループにそれぞれ対応した少なくとも第１および第２のグループ指定用表示パターンのいずれかを前記第１層テーマ指定枠および前記第２層テーマ指定枠のいずれかに表示し、
ユーザによる一定方向の操作に応じて、前記第１層テーマ指定枠および前記第２層テーマ指定枠に表示された、前記少なくとも２つのグループ指定用表示パターンから１つのグループを指定し、
前記指定されたグループに属する前記単数または複数のコンテンツのうち任意のコンテンツを指定するために用いられ、前記指定されたグループに属する前記単数または複数のコンテンツのそれぞれに対応した複数のコンテンツ指定用表示パターンを前記プログラム指定枠に表示し、
指示に応じて、前記第１層テーマ指定枠または前記第２層テーマ指定枠に表示された前記複数のグループ指定用表示パターンのうち前記指示前に前記表示されていなかった前記グループ指定用表示パターンを対応する前記第１層テーマ指定枠または前記第２層テーマ指定枠に画面に表示し、
前記指示に応じて、前記複数のコンテンツ指定用表示パターンのうち前記指示前に前記表示されていなかった前記コンテンツ指定用表示パターンを前記プログラム指定枠に表示する、表示制御方法が提供される。
【００１４】
好ましくは、前記一定方向に直交する方向の操作に応じて、前記プログラム指定枠に表示された前記複数のコンテンツ指定用表示パターンをスクロール表示させる。
【００１５】
本発明によれば、１画面の重ならない領域に同時に表示可能に、少なくとも２つのグループに対応して、複数の第１層のテーマを指定する第１層テーマ指定枠と、当該第１のテーマ指定枠の１つに対して単数または複数の第２層のテーマを指定する第２層テーマ指定枠と、前記第２層テーマ指定で指定されたテーマに対応するプログラムを指定するプログラム指定枠と、指定したプログラムの映像を表示する画面領域とを規定して同時に表示する第１の表示手段と、
前記少なくとも２つのグループのそれぞれに単数または複数のコンテンツの内容を示す情報が割り当てられており、前記少なくとも２つのグループのうち任意のグループを指定するために用いられ、前記少なくとも２つのグループにそれぞれ対応した少なくとも第１および第２のグループ指定用表示パターンを前記第１層テーマ指定枠および前記第２層テーマ指定枠に表示する、第２の表示手段と、
ユーザによる一定方向の操作に応じて、前記第１層テーマ指定枠および前記第２層テーマ指定枠に表示された、前記複数のグループ指定用表示パターンから１つのグループを指定する指定手段と、
前記指定されたグループに属する前記単数または複数のコンテンツのうち任意のコンテンツを指定するために用いられ、前記指定されたグループに属する前記単数または複数のコンテンツのそれぞれに対応した複数のコンテンツ指定用表示パターンを前記プログラム指定枠に表示する、第３の表示手段とを有する、表示制御装置が提供される。
【００１６】
本発明によれば、１画面の重ならない領域に同時に表示可能に、少なくとも２つのグループに対応して、複数の第１層のテーマを指定する第１層テーマ指定枠と、当該第１のテーマ指定枠の１つに対して単数または複数の第２層のテーマを指定する第２層テーマ指定枠と、前記第２層テーマ指定で指定されたテーマに対応するプログラムを指定するプログラム指定枠と、指定したプログラムの映像を表示する画面領域とを規定して同時に表示し、
前記少なくとも２つのグループのそれぞれに単数または複数のコンテンツの内容を示す情報が割り当てられており、前記少なくとも２つのグループのうち任意のグループを指定するために用いられ、前記少なくとも２つのグループにそれぞれ対応した少なくとも第１および第２のグループ指定用表示パターンを前記第１層テーマ指定枠および前記第２層テーマ指定枠に一定方向に表示し、
ユーザによる一定方向の操作に応じて、前記第１層テーマ指定枠および前記第２層テーマ指定枠に表示された、前記複数のグループ指定用表示パターンから１つのグループを指定し、
前記指定されたグループに属する前記単数または複数のコンテンツのうち任意のコンテンツを指定するために用いられ、前記指定されたグループに属する前記単数または複数のコンテンツのそれぞれに対応した複数のコンテンツ指定用表示パターンを前記プログラム指定枠に前記一定方向に直交する方向に表示し、
前記一定方向に直交する方向の操作に応じて、前記プログラム指定枠の前記複数のコンテンツ指定用表示パターンをスクロール表示可能である、表示制御方法が提供される。
好ましくは、指示に応じて、前記第１層テーマ指定枠および前記第２層テーマ指定枠に表示された、前記複数のグループ指定用表示パターンのうち前記指示前に前記表示されていなかった前記グループ指定用表示パターンを対応する前記第１層テーマ指定枠または前記第２層テーマ指定枠に前記画面に表示し、前記指示に応じて、前記複数のコンテンツ指定用表示パターンのうち前記指示前に前記表示されていなかった前記コンテンツ指定用表示パターンを前記プログラム指定枠に表示する。
【００１７】
本発明によれば、１画面の重ならない領域に同時に表示可能に、少なくとも２つのグループに対応して、複数の第１層のテーマを指定する第１層テーマ指定枠と、当該第１のテーマ指定枠の１つに対して単数または複数の第２層のテーマを指定する第２層テーマ指定枠と、前記第２層テーマ指定で指定されたテーマに対応するプログラムを指定するプログラム指定枠と、指定したプログラムの映像を表示する画面領域とを規定して、同時に表示する第１の表示処理手段と、
前記少なくとも２つのグループのそれぞれに単数または複数のコンテンツの内容を示す情報が割り当てられており、前記少なくとも２つのグループのうち任意のグループを指定するために用いられ、前記少なくとも２つのグループにそれぞれ対応した少なくとも第１および第２のグループ指定用表示パターンを前記第１層テーマ指定枠および前記第２層テーマ指定枠に一定方向に表示する、第２の表示処理手段と、
ユーザによる一定方向の操作に応じて、前記第１層テーマ指定枠および前記第２層テーマ指定枠に表示された、前記複数のグループ指定用表示パターンから１つのグループを指定する、指定手段と、
前記指定されたグループに属する前記単数または複数のコンテンツのうち任意のコンテンツを指定するために用いられ、前記指定されたグループに属する前記単数または複数のコンテンツのそれぞれに対応した複数のコンテンツ指定用表示パターンを前記プログラム指定枠に前記一定方向に直交する方向に表示する、第３の表示処理手段と
を有する、表示制御装置が提供される。
【００１８】
【発明の実施の形態】
第１実施形態
図１は、本実施形態の受信装置を説明するための図である。
図１に示すように、受信装置１は、受信部２、信号処理部３、表示部４、入力操作部５を有する。
本実施形態では、プログラム（番組）が本発明のコンテンツの内容を示す情報に対応しており、テーマが本発明のグループに対応している。
また、信号処理部３が本発明の信号生成装置の信号生成手段に対応している。
【００１９】
受信部２は、衛星、地上波、ケーブルテレビ回線などを介して、放送された複数のプログラムのデジタルのビデオ信号およびオーディオ信号、並びにプログラム案内用のＥＰＧ信号を受信する。
本実施形態では、例えば、図２に示すように、複数のプログラムが複数のテーマＴ（１）〜Ｔ（Ｎ）に分類されている。例えば、テーマＴ（１）１にはプログラムＰ（１，１）〜Ｐ（１，Ｍ）が属しており、テーマＴ（Ｘ）（Ｘは１≦Ｘ≦Ｎを満たす整数）にはプログラムＰ（Ｘ，１）〜Ｐ（Ｘ，Ｎ）が属している。
本実施形態では、テーマは、例えば、スポーツ、ニュースおよび映画などのプログラムの内容の特性を示したり、あるいは、衛生放送、地上波放送およびケーブルテレビなどの伝送媒体の分類などを示している。
【００２０】
信号処理部３は、受信部２が受信した信号から、各プログラムのビデオ信号およびオーディオ信号、並びにＥＰＧ信号をデマルチプレクスし、ＥＰＧ信号を内部メモリに格納する。
また、信号処理部３は、後述するように、ＥＰＧ信号を用いたプログラム指定用表示と、ユーザによって指定されたプログラムのビデオ信号とをマルチプレックスして表示信号を生成する。また、信号処理部３は、ユーザによって指定されたプログラムのオーディオ信号を生成する。
また、信号処理部３は、必要に応じて、誤り訂正処理、エンコード処理およびデコード処理を行う。
【００２１】
表示部４は、陰極線管を備えた表示装置、あるいは液晶表示装置などである。
【００２２】
入力操作部５は、例えば、リモートコマンダである。
図３は、入力操作部５の正面の外観図である。
図３に示すように、入力操作部５の正面には、指定（選択）するプログラムのチャンネル番号を直接入力するための「０」〜「９」のボタン群１０と、指定しようとするプログラムが属するテーマに対応するテーマ指定用表示パターンを指し示す際にテーマ指定用枠を移動するためのテーマ指定用ボタン１１ａ，１１ｂと、各テーマ内で指定しようとするプログラムに対応するプログラム指定用表示パターンを指し示す際にプログラム指定用枠を移動するためのプログラム指定用ボタン１２ａ，１２ｂと、テーマ指定用枠およびプログラム指定用枠が指し示しているテーマ指定用表示パターンおよびプログラム指定用表示パターンに対応したテーマおよびプログラムの指定を確定するための指定確定用ボタン１３と、音量調整用ボタン１４と、電源ボタン１５と、プログラム案内ボタン１６とを有する。
入力操作部５は、ユーザによる各ボタンの操作によって特定された指示を、例えば赤外線信号によって図１に示す信号処理部３に送信する。
【００２３】
以下、受信装置１の動作の概要を説明する。
図４、当該受信装置１の動作の概要を説明するためのフローチャートである。
ステップＳＴ１：
衛星、地上波、ケーブルテレビ回線などを介して放送された複数のプログラムのデジタルのビデオ信号およびオーディオ信号、並びにプログラム案内用のＥＰＧ信号が、図１に示す受信部２によって受信される。
【００２４】
ステップＳＴ２：
ユーザによる入力操作部５の操作に応じて、所定の指示が入力操作部５から信号処理部３に送信される。
【００２５】
ステップＳＴ３：
信号処理部３において、入力操作部５から受信した指示に応じて、受信部２が受信した各プログラムのビデオ信号およびオーディオ信号、並びにＥＰＧ信号を用いて所定の信号処理が行われて表示信号が生成される。
そして、表示信号が、信号処理部３から表示部４に出力される。
【００２６】
ステップＳＴ４：
表示部４において、信号処理部３から受信した表示信号に応じた画面が表示される。
【００２７】
以下、ユーザによる入力操作部５の操作に応じて表示部４に表示される画面の一例を説明する。
なお、以下に示す処理では、図４を用いて前述したように、ユーザによる入力操作部５の操作に応じた指示によって、信号処理部３が表示信号を生成し、当該表示信号に応じた画面が表示部４に表示されるが、説明を簡単にするため、ユーザによる入力操作部５の操作と、それに応じて表示部４に表示される画面について主に説明する。
図５は、ユーザによる入力操作部５の操作の流れと、当該操作に応じた画面を説明するためのフローチャートである。
【００２８】
ステップＳＴ１１：
例えば、図３に示す入力操作部５に示す電源ボタン１５や、プログラム案内ボタン１６をユーザが指などで押すと、表示部４に図６に示す初期画面２０が表示される。
初期画面２０は、テーマ指定用領域２１と、プログラム指定用領域２２と、主画面領域２３とを有する。
テーマ指定用領域２１には、複数のテーマのそれぞれに対応した複数のテーマ指定用表示パターンＴ（１）〜Ｔ（Ｓ）（Ｓは１≦Ｓ＜Ｎを満たす整数）が表示されている。
本実施形態では、テーマ指定用表示パターン（本発明のグループ指定用表示パターン）としては、当該テーマを示すシンボル、文字あるいは画像などが用いられる。
【００２９】
また、テーマ指定用領域２１には、テーマを指定する際に、テーマ指定用表示パターンＴ（１）〜Ｔ（Ｓ）のうち何れか一つを指定するために用いられるテーマ指定用枠３０が、初期状態としてテーマ指定用表示パターンＴ（１）を囲む位置に表示されている。
テーマ指定用領域２１では、例えば、図３に示すテーマ指定用ボタン１１ｂをユーザが押し続けてテーマ指定用領域２１内の図中最も下のテーマ指定用表示パターンを囲む位置にテーマ指定用枠３０がある状態で、さらにテーマ指定用ボタン１１ｂを押すと、図７に示す画面２５のように、テーマ指定用領域２１に表示されるテーマ指定用表示パターンがスクロールし、図６に示す状態でテーマ指定用領域２１に表示されていないテーマ指定用表示パターンが現れる。
また、テーマ指定用領域２１では、例えば、図７に示す状態で、図３に示すテーマ指定用ボタン１１ａをユーザが押し続けてテーマ指定用領域２１内の図中最も上のテーマ指定用表示パターンを囲む位置にテーマ指定用枠３０がある状態で、さらにテーマ指定用ボタン１１ａを押すと、テーマ指定用領域２１に表示されるテーマ指定用表示パターンが図中上方にスクロールする。
【００３０】
プログラム指定用領域２２には、例えば、上述した処理段階では、プログラム指定用表示パターンは表示されていない。
主画面領域２３には、予め初期設定で決められたプログラムの映像が表示されている。
【００３１】
ステップＳＴ１２：
ユーザは、図３に示す入力操作部５のテーマ指定用ボタン１１ａ，１１ｂを操作して、図７に示す画面２５のテーマ指定用領域２１内で例えばテーマ指定用表示パターンＴ（Ｘ）を囲むようにテーマ指定用枠３０を移動し、その状態で入力操作部５の指定確定用ボタン１３を押すことで、テーマＴ（Ｘ）を指定する。
これにより、図８に示す画面２６のように、プログラム指定用領域２２内に、図２に示すテーマＴ（Ｘ）に属するプログラムＰ（Ｘ，１）〜Ｐ（Ｘ，Ｍ）のうちプログラムＰ（Ｘ，１）〜Ｐ（Ｘ，Ｋ）（Ｋは１≦Ｋ＜Ｍを満たす整数）に対応したプログラム指定用表示パターンＰ（Ｘ，１）〜Ｐ（Ｘ，Ｋ）が表示される。
本実施形態では、プログラム指定用表示パターンは、本発明の番組指定用表示パターンに対応し、例えば、当該プログラムを示すシンボル、文字、画像、当該プログラムの映像などが用いられる。
【００３２】
また、プログラム指定用領域２２には、プログラムを指定する際に、プログラム指定用表示パターンＰ（Ｘ，１）〜Ｐ（Ｘ，Ｍ）のうち何れか一つを指定するために用いられるプログラム指定用枠３１が、図８に示すように、初期状態としてプログラム指定用表示パターンＰ（Ｘ，１）を囲む位置に表示されている。
プログラム指定用領域２２では、例えば、図３に示すプログラム指定用ボタン１２ｂをユーザが押し続けてプログラム指定用領域２２内の図中最も右のプログラム指定用表示パターンを囲む位置にプログラム指定用枠３１がある状態で、さらにプログラム指定用ボタン１２ｂを押すと、図９に示す画面２７のように、プログラム指定用領域２２内に表示されるプログラム指定用表示パターンがスクロールし、図８に示す状態でプログラム指定用領域２２に表示されていないプログラム指定用表示パターンが現れる。
また、プログラム指定用領域２２では、例えば、図９に示す状態で、図３に示すプログラム指定用ボタン１２ａをユーザが押し続けてプログラム指定用領域２２内の図中最も左のプログラム指定用表示パターンを囲む位置にプログラム指定用枠３１がある状態で、さらにプログラム指定用ボタン１２ａを押すと、プログラム指定用領域２２に表示されるプログラム指定用表示パターンが図中左向きにスクロールする。
【００３３】
ステップＳＴ１３：
ユーザは、図３に示す入力操作部５のプログラム指定用ボタン１２ａ，１２ｂを操作して、図９に示す画面２７のプログラム指定用領域２２内で例えばプログラム指定用表示パターンＰ（Ｘ，Ｙ）を囲む位置にプログラム指定用枠３１を移動し、その状態で入力操作部５の指定確定用ボタン１３を押してプログラムＰ（Ｘ，Ｙ）を指定する。
これにより、図１０に示す画面２８のように、主画面領域２３内に、プログラムＰ（Ｘ，Ｙ）の映像が表示される。また、それと共に、プログラムＰ（Ｘ，Ｙ）に対応したオーディオ出力が行われる。
【００３４】
以上説明したように、受信装置１では、受信した複数のプログラムのなかから任意のプログラムを指定して画像表示およびオーディオ出力を行う際に、テーマ指定用領域２１を用いて当該プログラムが属するテーマを指定し、続いて、プログラム指定用領域２２を用いてプログラムを指定する。
このとき、テーマ指定用領域２１には、Ｎ個のテーマのうちＳ個のテーマに対応したテーマ指定用表示パターンが同時に出力され、必要に応じて図３に示すテーマ指定用ボタン１１ａ，１１ｂを用いてスクロールさせることで、Ｎ個のテーマの全ての順にテーマ指定用領域２１に表示させて指定可能である。
また、プログラム指定用領域２２には、指定されたテーマに属するＭ個のプログラムのうちＫ個のプログラムに対応したプログラム指定用表示パターンが同時に出力され、必要に応じて図３に示すプログラム指定用ボタン１２ａ，１２ｂを用いてスクロールさせることで、Ｍ個のテーマの全ての順にプログラム指定用領域２２に表示させて指定可能である。
【００３５】
そのため、受信装置１によれば、テーマおよびプログラムの数が増えた場合でも、テーマ指定用領域２１およびプログラム指定用領域２２にそれぞれ表示されるテーマ指定用表示パターンおよびプログラム指定用表示パターンは、それぞれＳ個およびＫ個に固定されるため、これらを所定の大きさで常に表示できる。従って、ユーザは、常に、テーマ指定用表示パターンおよびプログラム指定用表示パターンを容易に認識でき、ユーザによる指定操作が容易になる。
【００３６】
第２実施形態
上述した実施形態では、テーマが１階層の場合を例示したが、本実施形態では、テーマが２階層に分類されている場合を例示する。
本実施形態では、例えば、図１１に示すように、テーマ群が第１層と第２層との２階層からなり、第１層のテーマ群Ｔ１に複数のテーマＴ（１）〜Ｔ（Ｎ）が属し、第１層の各テーマＴ（１）〜Ｔ（Ｎ）にそれぞれ単数または複数の第２層のテーマが属している。
例えば、第１層のテーマＴ（１）には第２層のテーマＴ（１，１）〜Ｔ（１，Ｍ）が属し、第１層のテーマＴ（Ｘ）（Ｘは１≦Ｘ≦Ｎを満たす整数）には第２層のテーマＴ（Ｘ，１）〜Ｔ（Ｘ，Ｍ）が属している。
また、第２層のテーマＴには、それぞれ単数または複数のプログラムが属している。例えば、第２層のテーマＴ（Ｘ，Ｙ）（Ｙは１≦Ｙ≦Ｍを満たす整数）には、複数のプログラムＰ（Ｘ，Ｙ，１）〜Ｐ（Ｘ，Ｙ，Ｑ）が属している。
なお、本実施形態の受信装置の構成は、前述した第１実施形態で説明した図１に示す構成と同じであり、その動作の概要も図４に示すものと同じである。
【００３７】
以下、ユーザによる入力操作部５の操作に応じて表示部４に表示される画面を説明する。
なお、以下に示す処理では、図４を用いて前述したように、ユーザによる入力操作部５の操作に応じた指示によって、信号処理部３が表示信号を生成し、当該表示信号に応じた画面が表示部４に表示されるが、説明を簡単にするため、ユーザによる入力操作部５の操作と、それに応じて表示部４に表示される画面について主に説明する。
図１２は、ユーザによる入力操作部５の操作の流れと、当該操作に応じた画面を説明するためのフローチャートである。
【００３８】
ステップＳＴ２１：
例えば、図３に示す入力操作部５に示す電源ボタン１５や、プログラム案内ボタン１６をユーザが指などで押すと、表示部４に図１３に示す初期画面１２０が表示される。
初期画面１２０は、第１層テーマ指定用領域１２１ａと、第２層テーマ指定用領域１２１ｂと、プログラム指定用領域１２２と、主画面領域１２３とを有する。
第１層テーマ指定用領域１２１ａには、複数の第１層のテーマのそれぞれに対応した複数の第１層テーマ指定用表示パターンＴ（１）〜Ｔ（Ｓ）（Ｓは１≦Ｓ≦Ｎを満たす整数）が表示されている。
【００３９】
また、第１層テーマ指定用領域１２１ａには、第１層のテーマを指定する際に、第１層テーマ指定用表示パターンＴ（１）〜Ｔ（Ｓ）のうち何れか一つを指定するために用いられるテーマ指定用枠１３０が、図１３に示すように、初期状態として第１層テーマ指定用表示パターンＴ（１）を囲む位置に表示されている。
第１層テーマ指定用領域１２１ａでは、例えば、図３に示すテーマ指定用ボタン１１ｂをユーザが押し続けて第１層テーマ指定用領域１２１ａ内の図中最も下のテーマ指定用表示パターンを囲む位置にテーマ指定用枠１３０がある状態で、さらにテーマ指定用ボタン１１ｂを押すと、図１３に示す画面１２５のように、第１層テーマ指定用領域１２１ａに表示されるテーマ指定用表示パターンがスクロールし、図１３に示す状態で第１層テーマ指定用領域１２１ａに表示されていないテーマ指定用表示パターンが現れる。
また、第１層テーマ指定用領域１２１ａでは、例えば、図１４に示す状態で、図３に示すテーマ指定用ボタン１１ａをユーザが押し続けて第１層テーマ指定用領域１２１ａ内の図中最も上のテーマ指定用表示パターンを囲む位置にテーマ指定用枠１３０がある状態で、さらにテーマ指定用ボタン１１ａを押すと、第１層テーマ指定用領域１２１ａに表示されるテーマ指定用表示パターンが図中上方にスクロールする。
【００４０】
第２層テーマ指定用領域１２１ｂおよびプログラム指定用領域１２２には、例えば、当該段階では、第２層テーマ指定用表示パターンおよびプログラム指定用表示パターンは表示されていない。
主画面領域１２３には、予め初期設定で決められたプログラムの映像が表示されている。
【００４１】
ステップＳＴ２２：
ユーザは、図３に示す入力操作部５のテーマ指定用ボタン１１ａ，１１ｂを操作して、図１４に示す画面１２５の第１層テーマ指定用領域１２１ａ内で例えば第１層テーマ指定用表示パターンＴ（Ｘ）を囲むようにテーマ指定用枠１３０を移動し、その状態で入力操作部５の指定確定用ボタン１３を押すことで、第１層のテーマＴ（Ｘ）を指定する。
これにより、図１５に示すように、第２層テーマ指定用領域１２１ｂ内に、第１層のテーマＴ（Ｘ）に属する第２層のテーマのそれぞれに対応した複数の第２層テーマ指定用表示パターンＴ（Ｘ，１）〜Ｔ（Ｘ，Ｕ）（Ｕは１≦Ｕ＜Ｍ）を満たす整数）が表示されている。
【００４２】
また、第２層テーマ指定用領域１２１ｂ内には、初期状態として、テーマ指定用枠１３０が、第２層のテーマＴ（Ｘ，１）を囲む位置に表示されている。
第２層テーマ指定用領域１２１ｂでは、例えば、図３に示すテーマ指定用ボタン１１ｂをユーザが押し続けて第２層テーマ指定用領域１２１ｂ内の図中最も下のテーマ指定用表示パターンを囲む位置にテーマ指定用枠１３０がある状態で、さらにテーマ指定用ボタン１１ｂを押すと、図１６に示す画面１２７のように、第２層テーマ指定用領域１２１ｂに表示されるテーマ指定用表示パターンがスクロールし、図１５に示す状態で第２層テーマ指定用領域１２１ｂに表示されていないテーマ指定用表示パターンが現れる。
また、第２層テーマ指定用領域１２１ｂでは、例えば、図１６に示す状態で、図３に示すテーマ指定用ボタン１１ａをユーザが押し続けて第２層テーマ指定用領域１２１ｂ内の図中最も上のテーマ指定用表示パターンを囲む位置にテーマ指定用枠１３０がある状態で、さらにテーマ指定用ボタン１１ａを押すと、第２層テーマ指定用領域１２１ｂに表示されるテーマ指定用表示パターンが図中上方にスクロールする。
【００４３】
ステップＳＴ２３：
ユーザは、図３に示す入力操作部５のテーマ指定用ボタン１１ａ，１１ｂを操作して、図１６に示す画面１２７の第２層テーマ指定用領域１２１ｂ内で例えば第２層テーマ指定用表示パターンＴ（Ｘ，Ｙ）を囲む位置にテーマ指定用枠１３０を移動し、その状態で入力操作部５の指定確定用ボタン１３を押して第２層のテーマＴ（Ｘ，Ｙ）を指定する。
これにより、図１７に示す画面１２８のように、プログラム指定用領域１２２内に、図１１に示す第２層のテーマＴ（Ｘ，Ｙ）に属するプログラムＰ（Ｘ，Ｙ，１）〜Ｐ（Ｘ，Ｙ，Ｑ）のうちプログラムＰ（Ｘ，Ｙ，１）〜Ｐ（Ｘ，Ｙ，Ｖ）（Ｖは１≦Ｖ≦Ｑを満たす整数）のプログラム指定用表示パターンＰ（Ｘ，Ｙ，１）〜Ｐ（Ｘ，Ｙ，Ｖ）が表示される。
【００４４】
また、プログラム指定用領域１２２には、プログラムを指定する際に、プログラム指定用表示パターンＰ（Ｘ，Ｙ，１）〜Ｐ（Ｘ，Ｙ，Ｑ）のうち何れか一つを指定するために用いられるプログラム指定用枠１３１が、図１７に示すように、初期状態としてプログラム指定用表示パターンＰ（Ｘ，Ｙ，１）を囲む位置に表示されている。
プログラム指定用領域１２２では、例えば、図３に示すプログラム指定用ボタン１２ｂをユーザが押し続けてプログラム指定用領域２２内の図中最も右のプログラム指定用表示パターンを囲む位置にプログラム指定用枠１３１がある状態で、さらにプログラム指定用ボタン１２ｂを押すと、図１８に示す画面１２９のように、プログラム指定用領域１２２内に表示されるプログラム指定用表示パターンがスクロールし、図１７に示す状態でプログラム指定用領域１２２に表示されていないプログラム指定用表示パターンが現れる。
また、プログラム指定用領域１２２では、例えば、図１８に示す状態で、図３に示すプログラム指定用ボタン１２ａをユーザが押し続けてプログラム指定用領域１２２内の図中最も左のプログラム指定用表示パターンを囲む位置にプログラム指定用枠１３１がある状態で、さらにプログラム指定用ボタン１２ａを押すと、プログラム指定用領域１２２に表示されるプログラム指定用表示パターンが図中左向きにスクロールする。
【００４５】
ステップＳＴ２４：
ユーザは、図３に示す入力操作部５のプログラム指定用ボタン１２ａ，１２ｂを操作して、図１８に示す画面１２９のプログラム指定用領域１２２内で例えばプログラム指定用表示パターンＰ（Ｘ，Ｙ，Ｚ）を囲む位置にプログラム指定用枠１３１を移動し、その状態で入力操作部５の指定確定用ボタン１３を押してプログラムＰ（Ｘ，Ｙ，Ｚ）を指定する。
これにより、図１９に示す画面１３０のように、主画面領域２３内に、プログラムＰ（Ｘ，Ｙ，Ｚ）の映像が表示される。また、それと共に、プログラムＰ（Ｘ，Ｙ）に対応したオーディオ出力が行われる。
【００４６】
以上説明したように、本実施形態によれば、テーマが２階層に分類されている場合でも、第１層テーマ指定用領域１２１ａを用いて第１階層のテーマを指定し、続いて第２層テーマ指定用領域１２１ｂを用いて第２階層のテーマを指定できる。この場合に、第１層テーマ指定用領域１２１ａおよび第２層テーマ指定用領域１２１ｂのそれぞれにおいて、スクロールしてテーマ指定用表示パターンを表示できることから、各階層に属するテーマの数が増えた場合でも、第１層テーマ指定用領域１２１ａおよび第２層テーマ指定用領域１２１ｂにそれぞれ所定の大きさのテーマ指定用表示パターンを表示できる。従って、ユーザは、常に、テーマ指定用表示パターンを容易に認識でき、ユーザによる指定操作が容易になる。
【００４７】
本発明は上述した実施形態には限定されない。
上述した第２実施形態では、テーマ群が２階層に分類されている場合を例示したが、本発明では、テーマ群が分類される階層数は任意である。例えば、テーマ群がＲ階層（Ｒは１以上の任意の整数）に分類される場合には、図２０に示すように、Ｒ階層分のテーマ指定用領域２２１1 〜２２１R を表示し、テーマ指定用枠を用いて、テーマ指定用領域２２１1 〜２２１R 内で上位の階層から順にテーマを指定し、最終的にプログラム指定用領域２２２内でテーマ指定用枠２３０を用いてプログラムを指定する。これにより、最終的に指定されたプログラムに応じた映像が主画面領域２２３に表示される。
【００４８】
上述した図２０に示す例では、Ｒ階層分のテーマ指定用領域２２１1 〜２２１R の全てを同時に表示した場合を例示したが、図２１に示すように、第１のテーマ指定用領域３２１ａと、第２のテーマ指定用領域３２１ｂとを設け、入力操作部５の所定のボタンを操作してスクロールしながら、Ｒ階層のうち２階層分のテーマ指定用表示パターンを同時に表示するようにしてもよい。
【００４９】
また、上述した実施形態では、衛星、地上波、ケーブルテレビ回線などを介して放送および受信された複数のプログラムのなかから表示を行うプログラムを指定する場合を例示したが、受信したプログラム以外にも、例えば、家庭内の再生装置やゲーム機などから出力された信号をプログラムの一つとして指定できるようにしてもよい。
【００５０】
【発明の効果】
以上説明したように、本発明によれば、番組を指定するための指定用表示パターンの数が増えた場合でも、ユーザが希望する番組を容易に検索して指定できる表示方法および信号生成装置を提供できる。
【図面の簡単な説明】
【図１】図１は、本発明の実施形態の受信装置を説明するための図である。
【図２】図２は、図１に示す受信装置が受信したプログラムの分類構造を説明するための図である。
【図３】図３は、図１に示す入力操作部の正面の外観図である。
【図４】図４、図１に示す受信装置の動作の概要を説明するためのフローチャートである。
【図５】図５は、ユーザによる入力操作部の操作の流れと、当該操作に応じた画面を説明するためのフローチャートである。
【図６】図６は、図１に示す表示部に表示される初期画面を説明するための図である。
【図７】図７は、テーマを指定する際に図１に示す表示部に表示される画面を説明するための図である。
【図８】図８は、図７に示すテーマ指定用領域内でのスクロール動作を説明するための図である。
【図９】図９は、プログラムを指定する際に図１に示す表示部に表示される画面を説明するための図である。
【図１０】図１０は、プログラムが指定されたときに図１に示す表示部に表示される画面を説明するための図である。
【図１１】図１１は、本発明の第２実施形態における、プログラムを分類するテーマの階層構造を説明するための図である。
【図１２】図１２は、本発明の第２実施形態において、ユーザによる入力操作部の操作の流れと、当該操作に応じた画面を説明するためのフローチャートである。
【図１３】図１３は、本発明の第２実施形態において、図１に示す表示部に表示される初期画面を説明するための図である。
【図１４】図１４は、本発明の第２実施形態において、第１階層のテーマを指定する際に図１に示す表示部に表示される画面を説明するための図である。
【図１５】図１５は、本発明の第２実施形態において、第２階層のテーマを指定する際に図１に示す表示部に表示される画面を説明するための図である。
【図１６】図１６は、本発明の第２実施形態において、第２階層のテーマを指定する際に図１に示す表示部に表示される画面を説明するための図である。
【図１７】図１７は、本発明の第２実施形態において、プログラムを指定する際に図１に示す表示部に表示される画面を説明するための図である。
【図１８】図１８は、本発明の第２実施形態において、プログラムを指定する際に図１に示す表示部に表示される画面を説明するための図である。
【図１９】図１９は、本発明の第２実施形態において、プログラムが指定されたときに図１に示す表示部に表示される画面を説明するための図である。
【図２０】図２０は、本発明の第２実施形態の変形例において、図１に示す表示部に表示される画面を説明するための図である。
【図２１】図２１は、本発明の第２実施形態の変形例において、図１に示す表示部に表示される画面を説明するための図である。
【符号の説明】
１…受信装置、２…受信部、３…信号処理部、４…表示部、５…入力操作部、１１ａ，１１ｂ…テーマ指定用ボタン、１２ａ，１２ｂ…プログラム指定用ボタン、１３…指定確定用ボタン、１４…音量調整用ボタン、１５…電源ボタン、１６…プログラム案内ボタン、２０…初期画面、２１，１２１ａ，１２１ｂ，２２１1 〜２２１R ，３２１ａ，３２１ｂ…テーマ指定用領域、２２，１２２，２２２…プログラム指定用領域、２３，１２３，２２３…主画面領域、３０，１３０，２３０…テーマ指定用枠、３１，１３１…プログラム指定用枠
【図１】
0004969718.tif 000002
【図２】
0004969718.tif 000003
【図３】
0004969718.tif 000004
【図４】
0004969718.tif 000005
【図５】
0004969718.tif 000006
【図６】
0004969718.tif 000007
【図７】
0004969718.tif 000008
【図８】
0004969718.tif 000009
【図９】
0004969718.tif 000010
【図１０】
0004969718.tif 000011
【図１１】
0004969718.tif 000012
【図１２】
0004969718.tif 000013
【図１３】
0004969718.tif 000014
【図１４】
0004969718.tif 000015
【図１５】
0004969718.tif 000016
【図１６】
0004969718.tif 000017
【図１７】
0004969718.tif 000018
【図１８】
0004969718.tif 000019
【図１９】
0004969718.tif 000020
【図２０】
0004969718.tif 000021
【図２１】
0004969718.tif 000022